(57)【要約】【課題】本考案は、ゴルフクラブをキャディバッグ内に収容する等して運搬したり、携行する時に、アイアンクラブのヘッド相互が振動による衝突や擦れる等して傷付くのを防止し、使用時にヘッド保護バンド本体を取り外さずに所望番数のアイアンクラブを外部から確認し、選択し、またヘッド保護バンド本体に対する出し入れが容易かつ確実に行える等、取り扱いを簡便にする。【解決手段】柔軟性部材により形成された横長のヘッド保護バンド本体１と、一側端２ｂを折返して前記ヘッド保護バンド本体１の裏面に固着することにより側壁部２ａの上端および下端を開口部３,３となして長手方向Ｘに交叉して設けられた略筒状のヘッド収納部２と、前記ヘッド保護バンド本体１の余端に形成される長余端部２ｃと、を有する。【選択図】図１
0003121477.tif 000002
【実用新案登録請求の範囲】
【請求項１】
柔軟性部材により形成された横長のヘッド保護バンド本体と、一側端を折返して前記ヘッド保護バンド本体の裏面に固着することにより側壁部の上端および下端を開口部となして長手方向に交叉して設けられた略筒状のヘッド収納部と、前記ヘッド保護バンド本体の余端に形成される長余端部と、を有することを特徴とするゴルフクラブのヘッド保護バンド。
【請求項２】
前記ヘッド保護バンド本体が、長手方向の一端に外周面の対応位置に着脱可能な係止具を有することを特徴とする請求項１に記載のゴルフクラブのヘッド保護バンド。
【請求項３】
前記係止具が、雄状の係止鉤群と該係止鉤群が係脱可能な雌状の係止ループ群とよりなる面ファスナーであるか、或いは、雄雌のスナップ、ボタンとボタン孔、及びマグネットによる磁気的吸引手段から選ばれる何れかであることを特徴とする請求項２に記載のゴルフクラブのヘッド保護バンド。
【考案の詳細な説明】
【技術分野】
【０００１】
本考案はゴルフクラブのヘッド保護バンドに関し、ゴルフクラブをキャディバッグ内に収容する等して運搬したり、携行する時にアイアンクラブのヘッド相互が振動により衝突して擦れる等して傷付くのを防止し、しかも使用時にはヘッド保護バンドを取り外さなくても自己が欲する所望番数のアイアンクラブをヘッド保護バンドの外部から確認し、選択してキャディバッグ内の所望個所に容易かつ確実に出し入れすることができる等、取り扱いを簡便にするものである。
【背景技術】
【０００２】
ゴルフクラブのヘッドを保護するためのカバーとしては、在来、各ゴルフクラブ毎のヘッドに一本づつ被せる単体カバーが多く普及していた。ところが、この単体カバーは、ゴルフクラブのサイズに合わせて、多種のカバーを必要とするので、不経済であり、ゴルフクラブの使用時または不使用時でのヘッドに対する着脱操作も繁多になり、取り扱いも不便になる。しかも、ヘッドから取り外される単体カバーは紛失することがあった。
【０００３】
このような単体カバーを使用する場合には、ゴルフクラブのサイズに合わせて、多種のカバーを必要とするので、使用時または不使用時でのヘッドに対する着脱操作が繁多になり、取り扱いも不便であるため、これらの欠点を解決するゴルフクラブのヘッドカバーとしてゴルフクラブをキャディバッグ（ゴルフバッグ）に収容した時に、ゴルフクラブ全体を一纏めにして一度にヘッドに被せる形式の袋状のカバーが従来あった（例えば特許文献１参照。）。
【０００４】
また、他の従来例として横長の布地に複数の柔軟な袋体を連続して設けることにより多数のゴルフクラブのヘッドを個別に各袋体に収納することによりヘッド相互が振動により衝突して擦れる等して傷付くのを防止するものがあった（例えば特許文献２参照。）。
【特許文献１】特開平８−２９４５５４号公報
【特許文献２】実開平５−３３７５１号公報
【考案の開示】
【考案が解決しようとする課題】
【０００５】
ところで、上記特許文献１に記載の上記従来のゴルフクラブのヘッドカバーは、キャディバッグに収容するアイアンクラブ等のゴルフクラブ全体を一纏めにして袋状のカバーをヘッドに被せて包むものであるので、キャディバッグにより運搬したり、携行する時にカバー内に包み込まれているアイアンクラブのヘッド相互が振動により衝突したり、擦れる等して傷が付くとともに衝突音が発生する、という問題点があった。
【０００６】
また、特許文献２に記載の上記従来のゴルフクラブのヘッドカバーは、横長の布地に複数の柔軟な袋体を連続して設けることにより多数のゴルフクラブのヘッドを個別に各袋体内に収納するものであるので、キャディバッグを用いて運搬したり、携行する時に例えばアイアンクラブのヘッド相互が振動により衝突したり、擦れたりしないで済み、傷が付くのが防止される点で特許文献１に記載のヘッドカバーよりも優れている。
【０００７】
しかしながら、この特許文献２に記載のゴルフクラブのヘッドカバーは、特許文献１に記載のヘッドカバーと同様に、競技等のゴルフクラブの使用時にはヘッドカバーをヘッドから取り外さなければ、例えばプレイに必要な所望番数のアイアンクラブであるか否かをキャディバッグの外部から確認することができず、ゴルフクラブをキャディバッグから探して取り出すのに多くの時間および手間がかかる、という問題点があった。
【０００８】
しかも、ゴルフクラブの使用後は、使用時に取り外しておいたヘッドカバーの袋体内に下方からヘッドを再度収納してヘッドに被せた後にキャディバッグ内の所望個所にゴルフクラブを収容しなければならず、同様に事後処理も多くの時間および手間がかかり、取り扱いに不便であった。
【０００９】
このように、特許文献１、および特許文献２に記載の従来のゴルフクラブのヘッドカバーは、使用時にはカバーを必ず取り外す必要があり、しかも、カバーの取り外しを行わなければ所望番数のアイアンクラブを外部から確認し、プレイに必要な所望のゴルフクラブを選択することができなかった。その上、ゴルフクラブのキャディバッグに対する出し入れ操作が容易には行えず、取り扱いが繁多で不便なものであった。
【００１０】
本考案はかかる問題点を解決することを目的とする。即ち、本考案は、ゴルフクラブをキャディバッグ内に収容する等して運搬したり、携行する時に、アイアンクラブ等のヘッド相互が振動により衝突したり、擦れる等して傷付くのを防止し、しかも、ゴルフクラブの使用時にはヘッド保護バンド本体を取り外す場合はもとより、取り外さなくても例えば所望番数のアイアンクラブを外部から容易に確認して選択し、さらには、ヘッド保護バンドを取り外さなくてもキャディバッグの所望個所に所望のゴルフクラブを容易かつ確実に出し入れすることができる等、取り扱いを簡便にすることを目的とする。
【課題を解決するための手段】
【００１１】
本考案は上記課題に鑑みてなされ請求項１に記載の考案は、柔軟性部材により形成された横長のヘッド保護バンド本体と、一側端を折返して前記ヘッド保護バンド本体の裏面に固着することにより側壁部の上端および下端を開口部となして長手方向に交叉して設けられた略筒状のヘッド収納部と、前記ヘッド保護バンド本体の余端に形成される長余端部と、を有することを特徴とする。
【００１２】
また、本考案の請求項２の考案は、請求項１において、長手方向の一端に外周面の対応位置に着脱可能な適宜係止具を有することを特徴とする。
【００１３】
また、本考案の請求項３の考案は、請求項２において、前記係止具が、雄状の係止鉤群と該係止鉤群が係脱可能な雌状の係止ループ群とよりなる面ファスナーであるか、或いは、雄雌のスナップ、ボタンとボタン孔、及びマグネットによる磁気的吸引手段から選ばれる何れかであることを特徴とする。
【考案の効果】
【００１４】
本考案は、ゴルフクラブをキャディバッグ内に収容する等して運搬したり、携行する時に、アイアンクラブ等のヘッド相互が振動により衝突したり、擦れる等して傷付くのが防止でき、しかも、ゴルフクラブの使用時にはヘッド保護バンド本体を取り外さなくても例えば所望番数のアイアンクラブを外部から容易に確認して選択でき、さらには、ヘッド保護バンド本体を取り外す場合はもとより、取り外さなくてもキャディバッグの所望個所に所望のゴルフクラブを容易かつ確実に出し入れすることができる等、取り扱いが簡便になるという効果がある。
【考案を実施するための最良の形態】
【００１５】
以下、図面に従って本考案を実施するための最良の形態ににつき、詳細に説明する。
【００１６】
図１は本考案のゴルフクラブのヘッド保護バンドの実施形態１の展開状態を示す斜視図、図２は同じく本実施形態１のゴルフクラブのヘッド保護バンドを構成するヘッド保護バンド本体の使用状態を示す拡大平面図、図３は同じく本実施形態１のヘッド保護バンドが捲付けられた使用状態の一例を示す斜視図である。
【００１７】
本実施形態１は、図１において、柔軟性部材により形成された横長のヘッド保護バンド本体１と、一側端２ｂを折返して前記ヘッド保護バンド本体１の裏面に固着することにより側壁部２ａの上端および下端を開口部３,３となして長手方向Ｘに交叉して設けられた略筒状のヘッド収納部２と、前記ヘッド保護バンド本体１の余端に形成される長余端部２ｃと、を有することを特徴とする。
【００１８】
このヘッド保護バンド本体１は、同一構造のものが、収納、運搬される複数本のゴルフクラブ、例えば３番から９番までのアイアンの７本と、ピッチングウェッジ、アプローチウェッジ、サンドウェッジ、パター等との４本の合計１１本のゴルフクラブのヘッドを収納する場合に、通常、３本〜４本が用意される。そして、各ゴルフクラブを複数本づつ、例えば３本〜４本づつに、１本のヘッド保護バンド本体１を捲付けることにより１まとめに保護し、携行、運搬する。
【００１９】
また、前記ヘッド保護バンド本体１は、柔軟性部材、例えば合成樹脂発泡樹脂、最適にはポリウレタン発泡樹脂により形成されるか、または、例えばポリアミド繊維等の合成繊維布の裏面にポリウレタン発泡樹脂、フェルト等の緩衝材を貼着したり、張設することにより形成される。
【００２０】
前記ヘッド保護バンド本体１の長余端部２ｃの長さｌは、前記ヘッド収納部２の幅Ｗの４〜５倍以上に形成されるのが最適である。
【００２１】
また、前記ヘッド保護バンド本体１の長手方向Ｘの一端１ａには、前記ヘッド保護バンド本体１を捲回した場合に対応する外周が着脱可能になる適宜係止具４が装着されている。
【００２２】
この、係止具４は、１本のヘッド保護バンド本体１を複数本、例えば３本〜４本づつのゴルフクラブのヘッドに捲付した後に係脱可能に係止することにより組付けを行ったり、またはヘッド保護バンド本体１を展開状態にするためのものであり、この係止具４は本実施形態１では図に示すようにヘッド保護バンド本体１の長手方向Ｘの一端１ａに設けた雄状の係止鉤群７Ａと、該係止鉤群７Ａが係脱可能に前記ヘッド保護バンド本体１の外周面に形成される雌状の係止ループ群７Ｂとよりなる面ファスナーが使用されるが、これは代表的な例示であり、係止具４としてはこのほかに図には示さないが、雄雌のスナップ、ボタンとボタン孔、及びマグネットによる磁気的吸引手段から選ばれる何れかが使用されることにより横長のヘッド保護バンド本体１の一端１ａと、ヘッド保護バンド本体１の外周面とが係脱可能に設けられる。
【００２３】
５は例えばドライバーＤ、ウッド、各種アイアンクラブＩ、ピッチングウェッジ、アプローチウェッジ、サンドウェッジ、パター等のゴルフクラブを収容したり、携行するためのキャディバッグである。
【００２４】
＜カバーの被閉＞
本考案のゴルフクラブのヘッド保護バンドの実施形態１は以上の構成からなり、ゴルフクラブ、すなわち、ドライバーＤ、ウッドのほか、各種アイアンクラブＩ、ピッチングウェッジ、アプローチウェッジ、サンドウェッジ、パター等をキャディバッグ５内に収容して運搬したり、競技に際して携行するのには、ドライバーＤ、ウッド等のゴルフクラブを除いて各種アイアンクラブＩ、ピッチングウェッジ、アプローチウェッジ、サンドウェッジ、パター等のゴルフクラブを、柔軟性部材により横長に形成された本実施形態１のヘッド保護バンド本体１を複数本、例えば３本〜４本づつのゴルフクラブに捲付けて１まとめにして保護し、キャディバッグ５にて運搬し、携行を行う。
【００２５】
これには、例えば３番から５番までのアイアンクラブＩに１本目のヘッド保護バンド本体１を捲付けて保護するが、このうち、中間の４番のアイアンクラブＩをヘッド保護バンド本体１の一側端２ｂを裏面に折り返して略筒状に形成されたヘッド収納部２内に挿入して保護するとともに、４番のアイアンクラブＩを収納しているヘッド収納部２の前後には３番のアイアンクラブＩと５番のアイアンクラブＩと重合し、その後、ヘッド保護バンド本体１の長余端部２ｃを外周側に捲回してから係止具４をヘッド保護バンド本体１の外周面の対応個所に係止することにより３番から５番までの３本のアイアンクラブＩに１つのヘッド保護バンド本体１を捲付けて１まとめに保護する。
【００２６】
同様に、例えば６番から９番までの４本のアイアンクラブＩに２本目のヘッド保護バンド本体１を捲付けて１まとめに保護する場合も、例えば、中間の７番のアイアンクラブＩをヘッド保護バンド本体１の一側端２ｂを裏面に折り返して略筒状に形成されたヘッド収納部２内に挿入して保護する。そして、７番のアイアンクラブＩを収納したそのヘッド収納部２の前後には６番のアイアンクラブＩと８番のアイアンクラブＩとを前後に重合してからヘッド保護バンド本体１の他端側の長余端部２ｃを外周側へ１回以上捲回し、さらには、９番のアイアンクラブＩを重合して長余端部２ｃを最後まで外周側に捲回し、係止具４をヘッド保護バンド本体１の外周面の対応個所に係止することにより６番から９番までの４本のアイアンクラブＩに１つのヘッド保護バンド本体１を捲付けて１まとめに保護する。
【００２７】
同様に、例えばピッチングウェッジ、アプローチウェッジ、サンドウェッジ、パターの４本のゴルフクラブに３本目のヘッド保護バンド本体１を捲付けて１まとめに保護する場合も、例えば、アプローチウェッジをヘッド保護バンド本体１の一側端２ｂを裏面に折り返して略筒状に形成されたヘッド収納部２内に挿入して保護するとともに、そのヘッド収納部２の前後にはピッチングウェッジ、およびサンドウェッジを前後に重合してからヘッド保護バンド本体１の他端側の長余端部２ｃを外周側へ１回以上捲回し、さらには、パターを重合して長余端部２ｃを最後まで外周側に捲回し、ヘッド保護バンド本体１の対応個所に係止具４を係止することによりピッチングウェッジ、アプローチウェッジ、サンドウェッジ、パターの４本のゴルフクラブに１つのヘッド保護バンド本体１を捲付けて１まとめに保護する。
【００２８】
そして、本実施形態１のゴルフクラブのヘッド保護バンドは、横長のヘッド保護バンド
本体１の一側端２ｂを裏面に折り返した側壁部２ａの上端および下端に開口部３,３を有する略筒状のヘッド収納部２を一端に設けて長手方向Ｘに交叉して設けらることにより、上下方向において対称構造に形成されているので、使用者はヘッド保護バンド本体１を例えば図１に示すように上辺Ｊ１を上側にするとともに下辺Ｊ２を下側に配した横長に使用することができるほか、図１とは上下が逆に上辺Ｊ１を下側に配置し、且つ下辺Ｊ２を上側に配置することにより使用することができ、ヘッド保護バンド本体１を自己の好みに応じて右勝手または左勝手に使い勝手を違えて使用することができる。
【００２９】
この結果、ヘッド保護バンド本体１内に包み込まれているアイアンクラブＩ等のヘッドは、キャディバッグ５により運搬したり、携行する時にヘッド相互が振動により衝突したり、擦れる等して傷が付くのが防止されとともに衝突音の発生もない。
【００３０】
＜使用時または不使用時におけるゴルフクラブの出し入れ操作＞
そして、競技に際しての自己が望む所望番数のアイアンクラブＩ、ピッチングウェッジ、アプローチウェッジ、サンドウェッジ、パター等の何れかのゴルフクラブをキャディバッグ５から取り出すのには、使用者がキャディバッグ５の口部を開いて前述のように複数本づつ例えば３本〜４本を１まとめにして捲付けられているヘッド保護バンド本体１を取り外す場合はもとより何れかのゴルフクラブを確認することができるが、ヘッド保護バンド本体１を取り外さない場合には、ヘッド保護バンド本体１を取り外すことなくそのままにした状態で上端に開口部３を有するヘッド収納部２はもとよりそのヘッド保護バンド本体１の上方から覗き込むという簡単な取り扱いにより、ゴルフクラブが、何番のアイアンクラブＩであるか、またピッチングウェッジ、アプローチウェッジ、サンドウェッジ、パター等の何れかであるか否かを外部から容易かつ確実に確認することができる。
【００３１】
そして、使用者はヘッド保護バンド本体１をゴルフクラブに捲付けたまま取り外すことなく、手を捲回状態のヘッド保護バンド本体１内に上方から差し込んでヘッドを握り、ヘッド保護バンド本体１を捲付けたまま外部から所望のアイアンクラブＩ等を取り出し、プレーに供することができる。
【００３２】
その後、プレーが済んだアイアンフクラブＩ等は、ヘッド保護バンド本体１の上方からヘッド保護バンド本体１内の空の該当空所部内に再びグリップ側から挿入され、アイアンクラブＩ等はキャディバッグ１５内に収納される。
【００３３】
このようにして、競技中においてキャディバッグ５にヘッド保護バンド本体１を取付けたまま取り外すことなく、ヘッド保護バンド本体１の外部から所望のアイアンクラブＩを確認し、取り出すことができるとともにキャディバッグ５の所望位置に入れることができ、ゴルフクラブを運搬、携行することができる。
【００３４】
上記実施形態１では、ヘッド保護バンド本体１内に収納して捲付けられるアイアンクラブＩ等の配列順序は、例えば３番アイアンから９番アイアンの各ゴルフクラブのヘッドを１本のヘッド保護バンド本体１毎に複数個、例えば３本〜４本毎に番数順に収納する場合を代表的に説明しているが、これは代表的な例示であり、これに限ることなく、ヘッド保護バンド本体１毎に使用者が使用頻度の多いアイアンクラブＩに応じて使い易い位置にヘッドを収納する等、自己の好みに合致するように不規則な配列順序にてヘッド保護バンド本体１を巻付けることによりアイアンヘッドＩを収納するようにした場合も本発明の適用範囲である。
【産業上の利用可能性】
【００３５】
本考案は、ゴルフクラブをキャディバッグ内に収容する等して運搬したり、携行する時に、アイアンクラブ等のヘッド相互が振動により衝突したり、擦れる等して傷付くのを防止し、しかもゴルフクラブの使用時にはヘッド保護バンド本体を取り外す場合はもとより
、取り外さなくても例えば所望番数のアイアンクラブを外部から容易に確認して選択し、さらにはヘッド保護バンド本体を取り外さなくてもキャディバッグの所望個所に所望のゴルフクラブを容易かつ確実に出し入れすることができる等、取り扱いを簡便にするという用途・機能に適する。
【図面の簡単な説明】
【００３６】
【図１】図１は本考案のゴルフクラブのヘッド保護バンドの実施形態１の展開状態を示す斜視図である。
【図２】図２は同じく本実施形態１のゴルフクラブのヘッド保護バンドを構成するヘッド保護バンド本体の使用状態を示す拡大断面図である。
【図３】図３は同じく本実施形態１のゴルフクラブのヘッド保護バンドが捲付けられた使用状態の一例を示す斜視図である。
【符号の説明】
【００３７】
１    ヘッド保護バンド本体  
２    ヘッド収納部
２ａ  側壁部
２ｂ  側端
２ｃ  長余端部
３    開口部
４    係止具
５    キャディバッグ
Ｉ    アイアンクラブ
Ｘ    長手方向
【図１】
0003121477.tif 000003
【図２】
0003121477.tif 000004
【図３】
0003121477.tif 000005